(57)【要約】【課題】  避難誘導灯として使用可能な照明装置を取り付けたり取り付けなかったりするレイアウト変更に敏速に対応することができる床パネルのための照明装置及びその照明装置を使用した床パネルを提供すること。【解決手段】  床下内に配線材等を収納可能とする二重床構造を形成する床パネル本体２、３に設けられた、配線用接続器等の床用配線器具を取り付けるための開口２２、３２に装着させる取付ベース１１に発光手段を配設する。発光手段の前面に周縁に段差部１４ａを有した透光カバー１４を設ける。段差部１４ａに床パネル本体２、３表面と同様のカーペット等の床仕上げ材を配置して成る。【選択図】図1
2005307621.tif 000002
【特許請求の範囲】
【請求項１】
床下内に配線材等を収納可能とする二重床構造を形成する床パネル本体に設けられた、配線用接続器等の床用配線器具を取り付けるための開口に装着させる取付ベースに発光手段を配設し、同発光手段の前面に周縁に段差部を有した透光カバーを設け、該段差部に床パネル本体表面と同様のカーペット等の床仕上げ材を配置して成る照明装置。
【請求項２】
前記取付ベースの背面側に発光素子を実装させた回路基板を配設し、前面側には突設された透光窓を有する板金製の透光カバーを配設し、該透光窓周縁に前記床仕上げ材を設けて成ることを特徴とする請求項１に記載の照明装置。
【請求項３】
請求項１または請求項２いずれかに記載の照明装置を、室内から出入り口方向の側に向けて配設される複数の床パネル本体に設けられた前記開口にそれぞれ装着し、その各照明装置を点灯又は順次点滅することで通行者を誘導可能とした床パネル。
【発明の詳細な説明】
【技術分野】
【０００１】
本発明は、例えば停電時等に暗闇で発光して避難通路、非常口等へのガイド可能な照明装置及びその照明装置を使用した床パネルに関する。
【背景技術】
【０００２】
オフィスに於ける、電力、電話、通信データの量は、今後、オフィスのＯＡ化が進展するにつれますます多様化すると考えられている。この多様化の進展に際して、より適切に対応できるのは、従来のモール材等を使用して床面上に電線を配線するのでなく、床下内に配線材等を収納可能とする二重床構造であると考えられている。したがって、オフィスのレイアウト変更に対してフレキシブル性のある二重床に使用される床パネルに対しては、さらに高度な機能が求められてきている。
【０００３】
二重床を施工する場合、例えばビルトインタイプと呼ばれる床パネルにあっては、床パネル本体の４隅にアジャスターのような支持足を取り付け、床パネル本体の上面にカーペット等の仕上げ材で覆った床パネルを用い、この床パネルを床下地の上に多数枚敷き詰めることにより施工している。また、このように施工される二重床に、床用配線器具としてインナーコンセント、ハイテンション接続器、ローテンション接続器等の配線用接続器を取り付ける場合、次の２つの方法によって行われている。
【０００４】
（１）建物完成後、入居までは床パネルを全面に敷き詰めておき、入居レイアウト決定後において、床パネル本体に床用配線器具を取り付けるための開口を設けた床パネルと適宜の前記床パネルとを取り替え、開口に床用配線器具を取り付ける。
【０００５】
（２）建物完成後、入居までは（１）と同じで、入居レイアウト決定後、床用配線器具の取り付けが必要な床パネルを剥がし、この床パネルの床パネル本体に床用配線器具がつくような規定の開口寸法の開口を切り欠き、この開口に床用接続器を取り付けている。
【０００６】
しかし、上記の（１）にあっては、床パネルの交換をしなければならず、施工に手間がかかるという問題があり、また（２）にあっては、現場で開口を切り欠くという作業をしなければならず、施工に非常に手間がかかると共に誤差が非常に大きくなるという問題やロス材が多く発生するという問題がある。
【０００７】
そこで、この問題対応を目的として、本出願人は、レイアウト変更に敏速に対応することができ、しかも各種の床用接続器を容易に取り付けることができる床パネルとして、特開平１０−２４３５３４公報に開示された、図５に示すような、矩形板状の床パネル本体１００の周縁に接続器等の床用配線器具を取り付けるための開口１０１となる切欠１０１ａを設け、同切欠１０１ａの周囲に床パネル本体の表面から床用配線器具の取り付け用鍔部の厚さ程度凹ませた段差部１０２を形成し、同段差部１０２に前記切欠１０１ａ全体を覆うカバープレート１０３を裁置して着脱自在に装着させて、床パネル本体１００上面全体をカーペット等の床仕上げ材１０４で覆った床パネルにおいて、カバープレート１０３と略同じ大きさで略同じ板厚の板状で、孔や切欠等の開口部を有する配線器具取り付け板を上記カバープレートと置き換え自在にして成る床パネルを提案している。
【０００８】
また、床パネルによるより高度な機能として、例えば特開平６−２９９６８２公報には、避難用誘導灯等を、見えやすく、かつコンパクトに組み込んだ床パネルとして、図６に示すような、床パネル２００の表面に凹部２０１を設ける一方、該パネルの凹部２０１内の底側に導光板２０２を配置し、該導光板２０２の側部に放電管２０３を配置すると共に、上記パネルの凹部２０１内の上側に透光性カバー２０４を配置し、該透光性カバー２０４と上記導光板２０２との間に表示フィルム２０５を配置してなる床パネルが開示されている。
【０００９】
この技術によると、表示フィルム２０５に、例えば避難用マークが印刷されてあれば、フロア面に避難用誘導灯がフラットに埋設されたことになり、従来の天井や壁面の場合に避難用誘導灯を配置するのに比べて、視界を邪魔するものが少ないので、見えやすくなり、床パネルとしての新たな機能を実現させる効果を奏している。
【００１０】
しかしながら、この床パネルによる避難誘導の構成は、逆に避難用誘導灯を有する床パネルを必要とするという点において、床パネルの交換をしなければならないこととなり施工に手間がかかるという問題がある。
【特許文献１】特開平１０−２４３５３４公報
【特許文献２】特開平６−２９９６８２公報
【発明の開示】
【発明が解決しようとする課題】
【００１１】
本願発明は、上記背景技術に鑑みてなされたものであり、その課題は、避難誘導灯として使用可能な照明装置を取り付けたり取り付けなかったりするレイアウト変更に敏速に対応することができる床パネルのための照明装置及びその照明装置を使用した床パネルを提供することである。
【課題を解決するための手段】
【００１２】
上記課題を解決するために、本願発明による照明装置は、床下内に配線材等を収納可能とする二重床構造を形成する床パネル本体に設けられた、配線用接続器等の床用配線器具を取り付けるための開口に装着させる取付ベースに発光手段を配設し、同発光手段の前面に周縁に段差部を有した透光カバーを設け、該段差部に床パネル本体表面と同様のカーペット等の床仕上げ材を配置している。
【００１３】
そして、前記取付ベースの背面側に発光素子を実装させた回路基板を配設し、前面側には突設された透光窓を有する板金製の透光カバーを配設し、該透光窓周縁に前記床仕上げ材を設けるのが好ましい。
【００１４】
また、本願発明による床パネルは、上記照明装置を、室内から出入り口方向の側に向けて配設される複数の床パネル本体に設けられた前記開口にそれぞれ装着し、その各照明装置を点灯又は順次点滅することで通行者を誘導可能としている。
【発明の効果】
【００１５】
本願発明の照明装置は、発光手段の前面周縁に段差部を有した透光カバーが配設された取付ベースが、床下内に配線材等を収納可能とする二重床構造を形成する床パネル本体に設けられた配線用接続器等の床用配線器具を取り付けるための開口に装着されて後、当該段差部に床パネル本体表面と同様のカーペット等の床仕上げ材が配置されるようになるので、避難誘導灯として使用可能な照明装置を取り付けたり取り付けなかったりするレイアウト変更に敏速に対応することができる床パネルのための照明装置が得られる。
【００１６】
そして、その背面側に発光素子が実装された回路基板が配設され、突設された透光窓周縁に段差部を有した板金製の透光カバーが前面に配設された取付ベースが、床下内に配線材等を収納可能とする二重床構造を形成する床パネル本体に設けられた配線用接続器等の床用配線器具を取り付けるための開口に装着されて後、段差部となる当該透光窓周縁に床仕上げ材が配置されるようになるので、照明光源となる発光素子に例えばＬＥＤ又はＥＬシートを採用することにて薄型化を図ることが容易となる。
【００１７】
また、従って本願発明の床パネルは、室内から出入り口方向の側に向けて配設される複数の床パネル本体に設けられた配線用接続器等の床用配線器具を取り付けるための開口にそれぞれ避難誘導灯として使用可能な照明装置が装着され、その各照明装置が点灯又は順次点滅することで通行者が誘導されるので、当該床パネルを配列した方向に人を誘導するというより高度な機能を容易に実現できるという効果を奏する。
【発明を実施するための最良の形態】
【００１８】
本発明の上記および他の効果、特徴および利点を明確にすべく、添付した図面を参照しながら、本発明の実施の形態を以下に詳述する。
【００１９】
図１を参照すると、本発明の一実施例としての照明装置の分解斜視図が示されている。図２は、同照明装置を使用した床パネルの外観を示す斜視図であり、この実施形態の照明装置１は、床下内に配線材等を収納可能とする二重床構造を形成する床パネル本体２、３に設けられた、配線用接続器等の床用配線器具を取り付けるための開口２２、３２に装着させる取付ベース１１に発光手段を配設し、同発光手段の前面に周縁に段差部１４ａを有した透光カバー１４を設け、該段差部１４ａに床パネル本体２表面と同様のカーペット等の床仕上げ材５を配置して成る。また、前記取付ベース１１の背面側に発光素子１２を実装させた回路基板１３を配設し、前面側には突設された透光窓１５を有する板金製の透光カバー１４を配設し、該透光窓１５周縁に前記床仕上げ材５を設けてもいる。
【００２０】
さらに、この実施形態の床パネルにあっては、上記記載の照明装置１を、室内から出入り口方向の側に向けて配設される複数の床パネル本体に設けられた前記開口にそれぞれ装着し、その各照明装置１を点灯又は順次点滅することで通行者を誘導可能としている。
【００２１】
照明装置１の取付ベース１１は、背景技術の項において述べたカバープレートと置き換え可能な略同じ大きさで略同じ板厚で、孔や切欠等の開口部をもった配線器具取り付け板と同様の四角状の鋼板材で、中央に後述する発光手段による光を通過させる円状の大開口１１ｂと、この大開口１１ｂの中心線上に楕円状の取付穴１１ｃ、１１ｃ、及び周縁の所定箇所に複数の組み立て用のめねじ１１ａが刻設され形成されている。この取付ベース１１上には、適宜箇所にそれ自体の補強を目的としたリブを設けて、踏みつけに対する強度を向上させている。
【００２２】
発光素子１２は、上記取付ベース１１の背面側に設けられる発光手段で、この場合チップ状ＬＥＤ素子にて形成され、回路基板１３上に発光素子１２への電流制限用の抵抗（図示せず）とともに実装されて取付ベース１１背面に配設される。かかる発光手段においては、チップ状とすることにて薄型化を可能としているが、発光手段としてはこのチップ状ＬＥＤ素子以外に、ＥＬシートを用いることによっても容易に薄型化が達成できるという効果がもたらされる。
【００２３】
透光カバー１４は、四角状の鋼板材で、この場合、絞り加工にて突設された透光窓１５を有するステンレス板金製であって、同透光窓１５に強化ガラス製の透光板１６を狭着保持させて上記取付ベース１１にねじ固着させる貫通孔を４隅に有して形成される。上記発光素子１２による光は、この透光カバー１４に設けられる透光板１６を介して透光されるが、この透光板１６の背面には乳白色のポリエチレン・テレフタレート樹脂シート材による拡散シート１７、また表裏にはゴム製で保護用の円環状クッションシート１８、１８が設けられて取付ベース１１に透光板１６がねじ固着される。したがって、踏みつけに対する上記透光窓１５全体の強度が適切に確保されることとなる。
【００２４】
上記構成を有する照明装置１は、図１に示す順に取付ベース１１に配置され、同図に示された、複数種類の組み立てねじ１ａ、及びスペーサ１ｂを用いて組み立てられる。この場合、取付ベース１１の背面側に設けられる発光素子１２の実装された回路基板１３の背面側には、スペーサ１ｂを介して板金製の保護板１９が組み立てねじ１ａを用いて装着されるが、これにより取付ベース１１に対する曲げ等ひねりに対する強度向上も達成されるようにしている。
【００２５】
また、本発明の照明装置１は、例えば図２に示す置敷きタイプと呼ばれる主に合成樹脂材料製の分割可能型の床パネル本体２や、後述するビルトインタイプと呼ばれる鋼板材料を主とし軽量コンクリートや積層板材を用いた一枚板を支持足４を設けて二重床構造とする床パネル本体に設けられた、配線用接続器等の床用配線器具を取り付けるための開口にそれぞれ装着される。具体的には、例えば同図の床パネル本体２においては、所定の大きさをもった四角状のカーペットの中央に透光窓１５と略同一大きさの円状開口の設けられた床仕上げ材５を、透光窓１５より低い段差部１４ａに配置して使用する。
【００２６】
この照明装置１にあっては、複数の床パネル本体２に設けて、複数の照明装置を点灯又は順次点滅することにて通行者を適切に誘導するため、図３に示すように、ＡＣ配線７を介してＡＣ１００Ｖ電源を受けて、それぞれへのＤＣ低圧電源供給と点灯又は順次点滅制御とを兼ねたコントローラ６に、複数のものがディジーチェーンと呼ばれるいもずる接続配線８、８、…にて電気的に接続されて、配線用接続器等の床用配線器具を取り付けるための開口にそれぞれ装着される。
【００２７】
次に、上記の置敷きタイプの床パネル本体２や、ビルトインタイプの床パネル本体３において、配線用接続器等の床用配線器具を取り付けるための開口に取付可能とすることにて、床パネル本体２を適宜置き換えたり、床パネル本体３の配線用接続器等の床用配線器具を取り付けるための開口に設けられているカバープレート外したりして、照明装置１を取り付けたり取り付けなかったりするレイアウト変更に対応することを図４（ａ）、（ｂ）を用いて詳細に説明する。
【００２８】
図４（ａ）は置敷きタイプの床パネル本体２で、図４（ｂ）はビルトインタイプの床パネル本体３をそれぞれ示している。本発明による照明装置１の存在により、置敷きタイプの床パネル本体２にあっては、図４（ａ）に示すように、９分割されたブロック２１のうちの１つを配線用接続器等の床用配線器具を取り付けるための開口２２の設けられたものと置き換えて当該開口２２へ、照明装置１を取付ベース１１の取付穴１１ｃ、１１ｃを使用してねじ固定して装着させる。また、ビルトインタイプの床パネル本体３にあっては、図４（ｂ）に示すように、この場合、床パネル本体３の周縁に設けられた、配線用接続器等の床用配線器具を取り付けるための切欠きとなる開口３２の周囲に設けられた段差へ裁置し当該開口３２へ、照明装置１を取付ベース１１の取付穴１１ｃ、１１ｃを使用してねじ固定して装着させる。
【００２９】
本願発明の床パネルは、上記のようにして室内から出入り口方向の側に向けて配設される複数の床パネル本体２、または床パネル本体３に設けられた配線用接続器等の床用配線器具を取り付けるための開口２２、または開口３２にそれぞれ避難誘導灯として使用可能な照明装置１が装着され、その各照明装置１が点灯又は順次点滅することで通行者が誘導されるのである。
【００３０】
二重床構造の床パネル本体２、３に設置することにより、フロア内において通路としての歩行可能経路が明確化され、例えば暗い区域にあっては補助照明として利用可能となる。さらに、緊急時にあっては点灯又は点滅させることにより各照明装置１の配列された方向に人を誘導する効果がある。
【００３１】
なお、複数配列する場合にあっては、必要とする通行経路毎に発光手段の発光色を変えるこのにてさらに誘導効果が高まる。共用部分の廊下となる区域であれば、異なるフロアあるいは異なる区域毎に発光色を変化させて設置させることにて、共用部分の異なる位置情報も知らせることが可能となるのである。
【００３２】
したがって、以上説明した照明装置１によると、発光手段の前面周縁に段差部１４ａを有した透光カバー１４が配設された取付ベース１１が、床下内に配線材等を収納可能とする二重床構造を形成する床パネル本体２、３に設けられた配線用接続器等の床用配線器具を取り付けるための開口２２、３２に装着されて後、当該段差部１４ａに床パネル本体２、３表面と同様のカーペット等の床仕上げ材５が配置されるようになるので、避難誘導灯として使用可能な照明装置を取り付けたり取り付けなかったりするレイアウト変更に敏速に対応することができる。
【００３３】
そして、その背面側に発光素子１２が実装された回路基板１３が配設され、突設された透光窓１５周縁に段差部１４ａを有した板金製の透光カバー１４が前面に配設された取付ベース１１が、床下内に配線材等を収納可能とする二重床構造を形成する床パネル本体２、３に設けられた配線用接続器等の床用配線器具を取り付けるための開口２２、３２に装着されて後、段差部１４ａとなる当該透光窓１５周縁に床仕上げ材５が配置されるようになるので、照明光源となる発光素子１２に例えばＬＥＤ又はＥＬシートを採用することにて薄型化を図ることが容易となる効果がある。
【００３４】
また、以上説明した床パネルによると、室内から出入り口方向の側に向けて配設される複数の床パネル本体２、３に設けられた配線用接続器等の床用配線器具を取り付けるための開口２２、３２にそれぞれ避難誘導灯として使用可能な照明装置１が装着され、その各照明装置が点灯又は順次点滅することで通行者が誘導されるので、当該床パネルを配列した方向に人を誘導するというより高度な機能を容易に実現できるという効果を奏する。
【００３５】
なお、本発明は上記各実施例に限定されず、本発明の技術思想の範囲内において、各実施例は適宜変更され得ることは明らかである。
【図面の簡単な説明】
【００３６】
【図１】本願発明の一実施形態である照明装置の分解斜視図。
【図２】同照明装置を使用した床パネルの外観を示す斜視図。
【図３】同照明装置の使用状態を示した説明図。
【図４】同照明装置の床パネルへの施工状態を示し、（ａ）は置敷きタイプ、（ｂ）はビルトインタイプの説明図。
【図５】床パネルの床用配線器具を取り付けるための開口の一例を示す斜視図。
【図６】従来例の床パネル用照明装置の全体を示す斜視図。
【符号の説明】
【００３７】
１      照明装置
１１      取付ベース
１２      発光素子
１３      回路基板
１４      透光カバー
１４ａ      段差部
１５      透光窓
２、３      床パネル本体
２２、３２      開口
５      床仕上げ材
【図１】
2005307621.tif 000003
【図２】
2005307621.tif 000004
【図３】
2005307621.tif 000005
【図４】
2005307621.tif 000006
【図５】
2005307621.tif 000007
【図６】
2005307621.tif 000008